(57)【要約】【課題】電子機器およびその制御方法を提供する。【解決手段】タッチパネルを有する電子機器を制御する方法であって、第１ブロックおよび第２ブロックは、タッチパネルのディスプレイ画面上に、タッチパネルのディスプレイ画面上の下部に位置された第１ブロック、およびタッチパネルのディスプレイ画面上の上部に位置された第２ブロックを表示するステップ、タッチパネルの前記ディスプレイ画面上の第１ブロックおよび第２ブロック間の接触移動を検出して受信するステップ、タッチパネル上の接触移動に対応する移動経路に基づいて、ディスプレイ画面上のアイコンを配置する配置線を決めるステップ、およびディスプレイ画面上の配置線に沿って、複数のアイコンを配置し、電子機器のグラフィカルユーザーインターフェースとして、配置線に沿って配置されたアイコンを有するディスプレイ画面を用いるステップを含む方法。【選択図】図２
2013145556.tif 000002
【特許請求の範囲】
【請求項１】
タッチパネルを有する電子機器を制御する方法であって、
前記タッチパネルのディスプレイ画面上に、前記タッチパネルの前記ディスプレイ画面上の下部に位置された第１のブロック、および前記タッチパネルの前記ディスプレイ画面上の上部に位置された第２のブロックを表示するステップ、
前記タッチパネルの前記ディスプレイ画面上の前記第１のブロックおよび前記第２のブロック間の接触移動を検出して受信するステップ、
前記タッチパネル上の前記接触移動に対応する連続的な移動経路に基づいて、前記ディスプレイ画面上のアイコンを配置する配置線を決めるステップ、および
前記ディスプレイ画面上の前記配置線に沿って、複数のアイコンを配置し、前記電子機器のグラフィカルユーザーインターフェースとして、前記配置線に沿って配置された前記アイコンを有する前記ディスプレイ画面を用いるステップを含む方法。
【請求項２】
前記第２のブロックを前記ディスプレイ画面の左上角および右上角の２つのサブブロックとしてそれぞれ表示するステップを更に含む請求項１に記載の方法。
【請求項３】
前記アイコンの数またはタイプを示すユーザーコマンドを受信するステップを更に含む請求項１に記載の方法。
【請求項４】
前記アイコンを前記ディスプレイ画面上の前記配置線に沿って配置する時、前記配置線の中央から開始して、前記配置線の端に向けて前記アイコンを表示するステップを更に含む請求項１に記載の方法。
【請求項５】
前記配置線の候補として複数の曲線を提供するステップ、および
前記接触移動の前記移動経路に基づいて前記配置線として前記複数の曲線の中の１つを選ぶステップを更に含む請求項１に記載の方法。
【請求項６】
前記移動経路にアルゴリズムを実行し、前記ディスプレイ画面上の配置線を決めるステップを更に含む請求項１に記載の方法。
【請求項７】
前記第１のブロックから前記第２のブロックへの前記接触移動を検出するステップを更に含む請求項１に記載の方法。
【請求項８】
電子機器であって、
ディスプレイ画面上に第１のブロックおよび第２のブロックを表示するように配置され、前記第１のブロックは、その前記ディスプレイ画面上の下部に位置され、前記第２のブロックは、その前記ディスプレイ画面上の上部に位置されるタッチパネル、および
前記タッチパネルの前記ディスプレイ画面上の前記第１のブロックおよび前記第２のブロック間の接触移動を検出して受信するように配置され、前記タッチパネル上の前記接触移動に対応する移動経路に基づいて、前記ディスプレイ画面上のアイコンを配置する配置線を決め、前記ディスプレイ画面上の前記配置線に沿って複数のアイコンを配置し、前記配置線に沿って配置された前記アイコンを有する前記ディスプレイ画面を前記電子機器のグラフィカルユーザーインターフェースとして用いる制御器を含む電子機器。
【請求項９】
前記タッチパネルは、前記第２のブロックを前記ディスプレイ画面の左上角および右上角の２つのサブブロックとしてそれぞれ表示する請求項８に記載の電子機器。
【請求項１０】
前記制御器は、前記アイコンの数またはタイプを示すユーザーコマンドを受信する請求項８に記載の電子機器。
【請求項１１】
前記制御器は、前記アイコンを前記ディスプレイ画面上の前記配置線に沿って配置する時、前記アイコンを前記配置線の中央から開始して前記配置線の端に向けて分配する請求項８に記載の電子機器。
【請求項１２】
前記制御器は、複数の曲線を前記配置線の候補として提供し、前記接触移動の前記移動経路に基づいて、前記配置線として前記複数の曲線から１つの曲線を選ぶ請求項８に記載の電子機器。
【請求項１３】
前記制御器は、前記移動経路にアルゴリズムを更に実行し、前記ディスプレイ画面上の配置線を決める請求項８に記載の電子機器。
【請求項１４】
前記制御器は、前記第１のブロックから前記第２のブロックへの前記接触移動を更に検出する請求項８に記載の電子機器。
【発明の詳細な説明】
【技術分野】
【０００１】
本発明は、電子機器のユーザーインターフェースに関し、特に、タッチ感知面（ｔｏｕｃｈ  ｓｅｎｓｉｔｉｖｅ  ｓｕｒｆａｃｅ）上での移動に基づいて、入力習慣（ｈａｂｉｔ）を自動的に判定し、対応するユーザーインターフェースを提供するシステムおよび方法に関するものである。
【背景技術】
【０００２】
近年、例えば携帯用デバイスなどの電子機器がますます技術的に進み、多機能になっている。例えば、携帯用デバイスは、電子メールメッセージ機能、アドレス帳管理システム、メディア再生システム、および各種の他の機能を有することができる。電子機器の便利性と機能の改善により、これらの電子機器は、生活の必需品となっている。
【０００３】
従来の携帯用電子機器では、機能的なアイコンがメーカーによって定義される方式で、ユーザーインターフェースに配置されている。事前の定義は、変更不可のユーザーインターフェースが提供されるため、ユーザーは、機能アイコンの位置を再配置することができない。言い換えれば、電子機器が設計された時、セットの固定のインターフェースが関連の操作のためにユーザーに提供され、ユーザーの個々の入力習慣は、取り組まれていない可能性がある。ここでは、入力習慣は一般化されている。しかしながら、各ユーザーは、異なる入力習慣を有することがある。例えば、いくつかのユーザーは、右利きであるために右手でインターフェースを操作する必要があり、いくつかのユーザーは、左利きであるために左手でインターフェースを操作する必要があり得る。よって、ユーザーの入力習慣が操作用に提供されたセットの固定のインターフェース用に考慮された一般化された入力習慣と異なる時、ユーザーには不都合である可能性がある。
【０００４】
よって、所定の入力習慣に基づいてユーザーの入力習慣を自動的に判定し、機能アイコンを配置することでよりユーザーフレンドリなインターフェースを提供する電子機器が必要となる。
【発明の概要】
【発明が解決しようとする課題】
【０００５】
電子機器およびその制御方法を提供する。
【課題を解決するための手段】
【０００６】
タッチパネルを有する電子機器を制御する方法の実施形態が提供される。第１ブロックおよび第２ブロックは、タッチパネルのディスプレイ画面上に表示され、第１ブロックは、タッチパネルのディスプレイ画面上の下部に位置され、第２ブロックは、タッチパネルのディスプレイ画面上の上部に位置される。タッチパネルのディスプレイ画面上の第１ブロックおよび第２ブロック間の接触移動が検出される。タッチパネル上の接触移動に対応する移動経路に基づいて、ディスプレイ画面上のアイコンを配置する配置線が決められる。アイコンは、ディスプレイ画面上の配置線に沿って配置され、配置線に沿って配置されたアイコンを有するディスプレイ画面は、電子機器のグラフィカルユーザーインターフェースとして用いられる。
【０００７】
電子機器の実施形態が提供される。電子機器は、タッチパネルおよび制御器を含む。タッチパネルは、ディスプレイ画面を提供し、第１ブロックおよび第２ブロックをディスプレイ画面上に表示し、第１ブロックは、タッチパネルのディスプレイ画面上の下部に位置され、第２ブロックは、タッチパネルのディスプレイ画面上の上部に位置される。制御器は、タッチパネルのディスプレイ画面上の第１ブロックおよび第２ブロック間の接触移動を検出して受信し、タッチパネル上の接触移動に対応する移動経路に基づいて、ディスプレイ画面上のアイコンを配置する配置線を決め、ディスプレイ画面上の配置線に沿って複数のアイコンを配置し、配置線に沿って配置されたアイコンを有するディスプレイ画面を電子機器のグラフィカルユーザーインターフェースとして用いる。
【０００８】
実施形態では、第２のブロックは、ディスプレイ画面の左上角および右上角の２つのサブブロックとしてそれぞれ表示される。
【０００９】
実施形態では、アイコンの数および／またはタイプは、ユーザーによって予め決められる。
【００１０】
実施形態では、アイコンをディスプレイ画面上の配置線に沿って配置する時、アイコンは、配置線の中央から開始して表示される。
【００１１】
実施形態では、複数の曲線は、配置線の候補として提供され、曲線の中の１つは、接触移動の移動経路に基づいて配置線として選ばれる。
【００１２】
上述の方法は、有形的表現媒体に具現化されたプログラムコードの形式を取ることができる。プログラムコードが機械によってロードされて実行された時、機械は、上述の方法を実行する装置となる。
【図面の簡単な説明】
【００１３】
本発明は、添付の図面と併せて後に続く詳細な説明と実施例を解釈することによって、より完全に理解されることができる。
【図１】本発明の電子機器の実施形態を示す概略図である。
【図２】本発明の電子機器を制御する方法の実施形態のフローチャートである。
【図３Ａ】画面表示の実施形態を示す概略図である。
【図３Ｂ】画面表示の実施形態を示す概略図である。
【図３Ｃ】画面表示の実施形態を示す概略図である。
【図３Ｄ】画面表示の実施形態を示す概略図である。
【図３Ｅ】画面表示の実施形態を示す概略図である。
【図３Ｆ】画面表示の実施形態を示す概略図である。
【発明を実施するための形態】
【００１４】
電子機器およびその制御方法が提供される。
【００１５】
図１は、本発明の電子機器の実施形態を示す概略図である。
【００１６】
実施形態に基づき、電子機器１０は、例えば、携帯情報端末（ＰＤＡ）、携帯電話、スマートフォン、およびモバイルインターネットデバイス（ＭＩＤ）などのコンピュータシステムまたは携帯機器であることができる。
【００１７】
電子機器１０は、タッチパネル１１、記憶装置１３、および制御器１５を含む。
【００１８】
タッチパネル１１は、タッチセンサ（図示されていない）が搭載されたディスプレイ画面ユニットであるタッチスクリーンであることができる。タッチセンサは、接触および接触の移動または中断を検出するタッチ感知面を形成する。タッチパネル１１は、電子機器１０からの、例えば情報、および／またはブラフおよびインターフェースなどの視覚出力（ｖｉｓｕａｌ  ｏｕｔｐｕｔ）を表示する。タッチパネル１１は、ユーザー入力を受け、更に処理するためにその入力を制御器に伝送する。
【００１９】
記憶装置１３は、電子機器１０に用いられているさまざまなユーザー情報、設定、およびプログラムコードを保存する。
【００２０】
制御器１５は、本発明の電子機器を制御する方法を実行する。
【００２１】
図２は、本発明の電子機器を制御する方法の実施形態のフローチャートである。例示的な実施形態では、ユーザーは、電子機器のユーザーインターフェースの機能アイコンを配置するレイアウトを構成することができる。ユーザーが初めて電子機器を用いる時（または機能アイコンを配置するためのレイアウトがリセットされるべき時）、視覚的手掛かりが提供されて、ユーザーがジェスチャを実行するのを助け、ユーザーインターフェースの機能アイコンを配置するレイアウトを定義（または再定義）する。具体的に言えば、特定のユーザーの入力習慣（右利きまたは左利き）は、実行されたジェスチャに基づいて判定される。よって、ユーザーの入力習慣に適合する方式で配置された機能アイコンが備えられたユーザーインターフェースが提供される。電子機器を制御する方法は、例えば、携帯情報端末（ＰＤＡ）、携帯電話、スマートフォン、およびモバイルインターネットデバイス（ＭＩＤ）などの携帯用デバイスに用いられることができる。例示的な実施形態では、電子機器は、例えばタッチスクリーンなどのタッチパネルに搭載される。
【００２２】
ステップＳ２０１では、操作ブロック（第１のブロック）は、タッチ感知ディスプレイのディスプレイ３０上に表示される。また、プロンプト３１１が表示されて、ユーザーがユーザーの利き手（即ち右手または左手）の利き指（例えば親指または人さし指）で操作ブロック３１０と接触することができるようにする。
【００２３】
ステップＳ２０３では、第１のブロックとの接触が検出された時、ターゲットブロック（第２のブロック）は、タッチパネルのディスプレイ画面上に表示される。例えば、図３Ｂを参照に、ユーザーが操作ブロック３１０と接触をした時、２つのターゲットブロック３２１と３２５は、ディスプレイ画面３０の上部上に表示されて、プロンプト３１３が表示され、ユーザーがターゲットブロック３２１と３２５のいずれかと接触することができる。
【００２４】
ステップＳ２０５では、操作ブロック３１０とターゲットブロック３２１と３２５の中の１つとの間の接触の動きが検出される。例えば図３Ｃでは、ユーザーが操作ブロック３１０をターゲットブロック３２１（またはターゲットブロック３２５）にドラッグし、操作ブロック３１０をターゲットブロック３２１（またはターゲットブロック３２５）にドロップした時、接触に対応する連続移動経路（ｃｏｎｔｉｎｕｏｕｓ  ｍｏｖｉｎｇ  ｐａｔｈ）３５は、ユーザーの指の動きに従ってディスプレイ画面３０に表示される。
【００２５】
ステップＳ２０７では、ディスプレイ画面３０上にアイコンを配置する配置線（ａｒｒａｎｇｅｍｅｎｔ  ｌｉｎｅ）は、タッチパネル上の接触の動きに応じる連続移動経路に従って決定される。例えば図３Ｄでは、接触の中断を検出すると、接触点の動きで作り出された連続移動経路３５は、配置線３５１を作り出すように最適化される。
【００２６】
例示的な実施形態では、最適化プロセスは、連続移動経路３５に実行されてスムーズな配置線を作り出す。注意するのは、本発明はこれに限定されるものではなく、例えば、配置線の候補としての複数の曲線は、予め提供されることができ、複数の曲線の中の１つは、接触移動の連続移動経路に基づいて配置線として選ばれることができる。
【００２７】
ステップＳ２０９では、アイコンは、ディスプレイ画面上の配置線に沿って配置される。例えば、図３Ｅでは、所定の機能アイコン３６１、３６３、３６５、３６７（例えば、常用のアプリケーションプログラムの機能アイコン）は、ディスプレイ画面３０上の配置線３５１に沿って配置される。
【００２８】
ステップＳ２１１では、ユーザーからの指示が受信されて、配置線３５１に配置されたアイコンを有する現在のディスプレイ画面がグラフィカルユーザーインターフェースとして用いられるようになっているかどうかが示される。例えば、図３Ｅでは、プロンプト３１５が表示され、ユーザーが配置線３５１に配置されたアイコンを有する現在のディスプレイ画面３０がグラフィカルユーザーインターフェースとして用いられるようになっているかどうかを確認することができる。ユーザーが現在のディスプレイ画面３０上のアイコン配置を用いるように確定した場合、‘ＯＫ’キー３１７をタップし、ステップＳ２１３が実行されることができる。ユーザーがアイコン配置をリセットするように確定した場合、‘ｒｅｓｅｔ’キー３１６をタップし、ステップＳ２０１が実行されることができる。
【００２９】
ステップＳ２１３では、配置線に沿って配置されたアイコンを有する現在のディスプレイは、電子機器のグラフィカルユーザーインターフェースとして表示される。例えば、図３Ｆでは、配置線３５１に沿って配置された機能アイコン３６１〜３６７を表すディスプレイ画面３０がグラフィカルユーザーインターフェースとして表示される。
【００３０】
機能アイコンの数またはタイプは、ユーザーによって予め設定されることができる。例えば、この実施例では、４つの機能アイコンが配置線３５１で配置され、機能アイコン３６１〜３６７は、電話をかけるアイコン、メッセージを送受信するアイコン、メールを送受信するアイコン、音楽をかけるアイコンである。上述のアイコンの数またはタイプは、例として用いられ、本発明はこれに限定されない。アイコンの数またはタイプは、特定の要求に応じて決められることができる。
【００３１】
また、機能アイコンをディスプレイ画面３０上の配置線３５１に沿って分配する時、各種のモードが用いられることができる。例えば、アイコンをディスプレイ画面上の配置線に沿って配置する時、機能アイコンは、配置線の中央から開始して配置線の端に向けて分配されることができる。
【００３２】
この発明は、実施例の方法及び望ましい実施の形態によって記述されているが、これらを限定するものではないことは理解される。当業者は、本発明の精神と範囲から逸脱しない種々の修正及び変更を行い得る。よって、本発明の範囲は、以下の請求項及びその等価のものによって規定されて保護される。
【符号の説明】
【００３３】
１０  電子機器
１１  タッチパネル
１３  記憶装置
１５  制御器
３０  ディスプレイ画面
３１０  操作ブロック
３１１、３１３、３１５  プロンプト
３２１、３２５  ターゲットブロック
３５  連続移動経路
３５１  配置線
３６１、３６３、３６５、３６７  機能アイコン
３１６  ｒｅｓｅｔキー
３１７  ＯＫキー
【図１】
2013145556.tif 000003
【図２】
2013145556.tif 000004
【図３Ａ】
2013145556.tif 000005
【図３Ｂ】
2013145556.tif 000006
【図３Ｃ】
2013145556.tif 000007
【図３Ｄ】
2013145556.tif 000008
【図３Ｅ】
2013145556.tif 000009
【図３Ｆ】
2013145556.tif 000010